(57)【要約】【課題】  １枚のシートに切目と折り曲げ線とを設け簡単な製造工程で光ディスクなどの薄板状物品を収納する収納ケースを提供する。【解決手段】  光ディスクの外形に沿ってベースプレート１０の一部にそれぞれ連続した第１及び第２の切目（１２ｂ、１２ｄ：１２ｂ’、１２ｄ’）を設けて形成された光ディスクを載置するステージ１１と、ステージ１１を支持するように形成した前方ブリッジ１６及び後方ブリッジ１７と、第１の切目又は第２の切目の少なくとも一部をステージ方向に突出して形成された光ディスクの周辺部の一部を上方から覆う保持片１８，１９と、光ディスクを取り出す際に指などを挿入するディスク取出部１１０とを設ける。【選択図】        図１
2015205692.tif 000002
【特許請求の範囲】
【請求項１】
薄板状物品を収納する収納ケースであって、
前記薄板状物品の外形に沿ってベースプレートの一部にそれぞれ連続した第１及び第２の切目を設けて形成された前記薄板状物品を載置するステージと、
前記ステージを前方から支持するように前記第１及び第２の切目の各一端にそれぞれ連続して第３及び第４の切目を前記ベースプレートに設けて形成された前方ブリッジと、
前記ステージを後方から支持するように前記第１及び第２の切目の各他端にそれぞれ連続して第５及び第６の切目を前記ベースプレートに設けて形成された後方ブリッジと、
前記第１の切目又は前記第２の切目の少なくとも一部を前記ステージ方向に突出して形成された前記薄板状物品の一部を上方から覆う保持片と、
を有する収納ケース。
【請求項２】
前記第３及び第４の切目の端部間又は／及び前記第５及び第６の切目の端部間にそれぞれ折り曲げ線を有する請求項１記載の収納ケース。
【請求項３】
前記第１又は第２の切目の一部を前記ステージ外側方向に突出して形成された前記薄板状物品を取り出す為の取出部を有する請求項１又は請求項２記載の収納ケース。
【請求項４】
前記ステージ、前記前方ブリッジ、前記後方ブリッジ、前記取出部の対応する前記ベースプレート裏面領域の外側に、前記ベースプレートの機械的強度を補強するための強化プレートを設けた請求項１乃至請求項３記載の収納ケース。
【請求項５】
前記前方ブリッジ又は前記後方ブリッジに前記折り曲げ線に平行して折り曲げ線を設ける請求項２乃至請求項４記載の収納ケース。
【請求項６】
前記保持片の切目の両端間に折り曲げ線を設ける請求項１乃至請求項５記載の収納ケース。
【請求項７】
前記ステージ表面にコーティング皮膜を施したことを特徴とする請求項１乃至請求項６記載の収納ケース。
【請求項８】
前記ステージ、前記前方ブリッジ、前記後方ブリッジ、前記保持片、前記取出部の対応する前記ベースプレート裏面領域の外側の前記ベースプレート裏面、又は前記強化プレート裏面に固着した裏プレートを有する請求項１乃至請求項７記載の収納ケース。
【請求項９】
前記第１の切目乃至前記第６の切目の少なくとも一部に、初期的に前記ベースプレートと接続するための破断用連結部を有する請求項１乃至請求項８記載の収納ケース。
【発明の詳細な説明】
【技術分野】
【０００１】
本発明は、光ディスク及びこの説明書、冊子やカードなどの薄板状物品を収納するための収納ケースに関する。
【背景技術】
【０００２】
従来、光ディスクの収納ケースとしてはポリスチレンなどのプラスチックから成型されたプラスチック製収納ケースが広く使われているが、コストが高く紙製収納ケースに比して重量が大きいなど様々な問題が生じている。この為プラスチック成型を用いず、紙などのシートを打ち抜き、折り曲げ加工を施してディスク収納ケースを製造する提案がなされている。
【０００３】
次に紙など１枚のシートからディスク収納ケースを製造する第１の従来技術として、特許文献１（特開２０１１−５７２２８公報）に記載のディスクケースについて図９を参照して説明する。図９は本公報記載のディスクケースの展開図であり、矩形台紙シート９１の上下縁辺に折り筋を介してディスク押さえ片９２が設けられ、このディスク押さえ片９２の中央部にディスクＤ１を差し込むための円弧状の切り込み９３が設けられている。ディスクＤ１の両端の円弧縁を２つの円弧状の切り込み９３に差し込むことにより、ディスク収納ケースを構成する１枚のシートを接着、固定することなく、ディスクＤ１をディスク押さえ片９２により固定するように構成している。
【０００４】
また紙など１枚のシートからディスク収納ケースを製造する第２の従来技術として、特許文献２（特開平９−２４０７７０号公報）に記載のコンパクトディスク用ケースについて図１０を参照して説明する。図１０は本公報記載のコンパクトディスク用ケースの展開平面図であり、一枚の原紙を三つ折にして形成し、ＣＤ収納面１０１を右側の壁面に形成する。そして重合片１０２の内縁にＣＤ覆い片１０３をＣＤの厚さ分浮き上がらせるように、複数個の連結片１０４を設け、重合片１０２を収納面１０１の周端部に接着する。そしてＣＤ覆い片１０３とＣＤ収納面１０１との間にＣＤ収納保持部１０５を形成し、このＣＤ収納保持部１０５にＣＤを収納するよう構成している。
【０００５】
また紙など１枚のシートからディスク収納ケースを製造する第３の従来技術として、特許文献３（特開２０００−１１８５８８公報）に記載のファイル用ディスクホルダーについて図１１を参照して説明する。図１１は本公報記載のファイル用ディスクホルダーの斜視図であり、第一差し込みスリット１１１の両端部に連なる第一折りライン１１２を境に連接された上板部１１３と下板部１１４とを設け、第一差し込みスリット１１１及び第二差し込みスリット１１５のそれぞれにディスク１１６の縁部を差し込んで上板部１１３に保持するように構成されている。
【先行技術文献】
【特許文献】
【０００６】
【特許文献１】特開２０１１−５７２２８公報
【０００７】
【特許文献２】特開平９−２４０７７０号公報
【０００８】
【特許文献３】特開２０００−１１８５８８公報
【発明の概要】
【発明が解決しようとする課題】
【０００９】
特許文献１記載の第１の従来技術は、紙など１枚のシートを打ち抜くことで、接着または固定することなく組み立て可能なディスクケースを構成しているが、円弧状の切り込み９３に差し込まれたディスクＤ１の箇所の断面構造は下から上側に、矩形台紙シート９１、下側のディスク押さえ片９２、ディスクＤ１、上側のディスク押さえ片９２の４層構造となる。
【００１０】
この為収納ケースの厚みを極力薄くしたい用途には、この構造では限界がある。また２つの上側のディスク押さえ片９２は、図示されている左側のディスク押さえ片９２のようにディスクＤ１を収納する前に垂直方向に立てておき、ディスクＤ１を下側のディスク押さえ片９２の上にセットした後、上側のディスク押さえ片９２を矩形台紙シートに向けて指で押しディスクＤ１を保持固定しており、ディスクを取り出す際は逆の動作を行う。従って上側のディスク押さえ片９２はディスクＤ１の収納時と取り出し時に折り曲げを繰り返すことになり、これにより紙などのシートで作られた上側のディスク押さえ片９２が劣化するという問題がある。さらに図９の右側の保持機構だけではディスクＤ１がディスク押さえ片９２から脱落する恐れがあり、矩形台紙シート９１に連接した矩形表示シート９４及び係止片９５が必須となる。
【００１１】
またディスクＤ１を下側のディスク押さえ片９２上に載置し、上側のディスク押さえ片９２により強く押さえつけた場合は、ディスクＤ１の記録面が下側のディスク押さえ片９２と強く擦れて記録データが損傷する恐れがある。
【００１２】
また特許文献２記載の第２の従来技術は、１枚のシートから作成したＣＤ収納面１０１とＣＤ覆い片１０３との間にＣＤ収納保持部１０５を形成し、このＣＤ収納保持部１０５にＣＤを収納するよう構成しているが、ＣＤをＣＤ収納面１０１の中心方向からＣＤ収納保持部１０５に滑らせてＣＤ覆い片１０３によりＣＤを固定保持する構成なので、このままではＣＤが振動などでＣＤ収納面１０１の中心方向に移動し、ＣＤがＣＤ用ケースから脱落する恐れがある。
【００１３】
このため本公報では図１０に示すように１枚の厚紙を三つ折りとし、中央部の第二壁と左方の第三壁を順次折り畳むようにして、ＣＤがＣＤ用ケースから脱落しないようにしている。しかしながら、この構造ではＣＤケースの厚みとしては第二壁と第三壁の厚みとが必然的に加わり、薄い収納ケースを実現することは困難である。
【００１４】
またＣＤをＣＤ収納面１０１の中心方向からＣＤ収納保持部１０５に滑らせる際には、ＣＤの縁がＣＤ覆い片１０３及び連結片１０４とで形成される側壁に到達するまでＣＤの記録面をＣＤ収納面１０１に対して滑らせることになり、ＣＤの記録面が損傷をうける恐れがある。
【００１５】
さらに連結片１０４によりＣＤ覆い片１０３をＣＤの厚さ分浮き上がらせるものとして設定しているが、実際には一枚のシートから切断され折り曲げ加工された初期状態では、ＣＤ収納面１０１とＣＤ覆い片１０３との間には隙間が無く、ＣＤの厚さ分を正確な寸法で浮き上がらせることは困難である。
【００１６】
また特許文献３記載の第３の従来技術は、ディスク１１６の右方の縁部が差し込まれた箇所の構造は下から上に、下板部１１４、上板部１１３、上板部１１３、ディスク１１６、下板部１１４の多段構造をしており、収納ケースの厚みを極力薄くしたい用途には向いていない。
【００１７】
さらにディスク１１６を第二差し込みスリット１１５に差し込む際は、上板部１１３と押え片１１７との間には遊びがないためディスク１１６の上面から下方に強い力が作用し、ディスク記録面が摩擦により損傷を受ける恐れがある。またディスク１１６を第二差し込みスリット１１５に差し込む際、ディスク１１６がこれ以上進めない箇所まで力を加え続けることになるが、この間にディスク記録面に摩擦が発生しダメージを受ける恐れがある。
【課題を解決するための手段】
【００１８】
本発明は上記課題を好適に解決した収納ケースを提供する。
【００１９】
本発明の収納ケースは、薄板状物品を収納する収納ケースであって、前記薄板状物品の外形に沿ってベースプレートの一部にそれぞれ連続した第１及び第２の切目を設けて形成された前記薄板状物品を載置するステージと、前記ステージを前方から支持するように前記第１及び第２の切目の各一端にそれぞれ連続して第３及び第４の切目を前記ベースプレートに設けて形成された前方ブリッジと、前記ステージを後方から支持するように前記第１及び第２の切目の各他端にそれぞれ連続して第５及び第６の切目を前記ベースプレートに設けて形成された後方ブリッジと、前記第１の切目又は前記第２の切目の少なくとも一部を前記ステージ方向に突出して形成された前記薄板状物品の一部を上方から覆う保持片とを有している。
【００２０】
また前記第３及び第４の切目の端部間又は／及び前記第５及び第６の切目の端部間にそれぞれ折り曲げ線を有する構成であっても良い。
【００２１】
また前記第１又は第２の切目の一部を前記ステージ外側方向に突出して形成された前記薄板状物品を取り出す為の取出部を有する構成であっても良い。
【００２２】
さらに、前記ステージ、前記前方ブリッジ、前記後方ブリッジ、前記取出部の対応する前記ベースプレート裏面領域の外側に、前記ベースプレートの機械的強度を補強するための強化プレートを設けように構成しても良い。
【００２３】
また前記前方ブリッジ又は前記後方ブリッジに前記折り曲げ線に平行して折り曲げ線を設けるように構成しても良い。
【００２４】
また前記保持片の切目の両端間に折り曲げ線を設けるように構成しても良い。
【００２５】
また前記ステージ表面にコーティング皮膜を施しても良い。
【００２６】
また前記ステージ、前記前方ブリッジ、前記後方ブリッジ、前記保持片、前記取出部の対応する前記ベースプレート裏面領域の外側の前記ベースプレート裏面、又は前記強化プレート裏面に固着した裏プレートを有する構成であっても良い。
【００２７】
また前記第１の切目乃至前記第６の切目の少なくとも一部に、初期的に前記ベースプレートと接続するための破断用連結部を有する構成であっても良い。
【発明の効果】
【００２８】
本発明の収納ケースは、紙やプラスチックなどの１枚のシートに所定形状の切れ目と折り曲げ線を設けることで基本構造を製造できるので、製造が容易でかつ安価に製造できるという特徴がある。
また廃棄する際は嵩張ることなく廃棄が可能であり、紙やプラスチックなどの１枚のシートからシンプルな構造により実現できるので、極めて軽量である。
さらに本発明の収納ケースは、ステージとディスク保持片を構成するベースプレートと、強化プレートの２層構造で基本構造を実現できるので、収納ケースの厚みを従来よりも大幅に薄くすることができる。
また薄板状物品の収納・取り出しの作業が容易にでき、かつ収納ケースに収納された薄板状物品は運送途中などで脱落したりすることがない。
また搬送途中で大きな力が収納ケースに加わった場合でも、光ディスクがベースプレートと強化プレートにより構成された空間にすっぽりと収納された状態で搬送されるので、光ディスク自体に大きな力が印加されたり、収納ケースから光ディスクが脱落したりすることがない。
【図面の簡単な説明】
【００２９】
【図１】本発明の実施の形態に係わる収納ケースの平面図である。
【図２】本発明の実施の形態に係わる収納ケース裏面の斜視図である。
【図３】本発明の第１の実施例に係わる収納ケースにおいて、光ディスクを保持した状態を示す斜視図である。
【図４】図３のＸ−Ｘ線に沿った断面図である。
【図５】本発明の第２の実施例に係わる収納ケースの平面図である。
【図６】図５のＹ−Ｙ線に沿った断面図である。
【図７】本発明の第３の実施例に係わる収納ケースの平面図である。
【図８】本発明の第４の実施例に係わる収納ケースの平面図である。
【図９】第１の従来技術のディスクケースを表す斜視図である。
【図１０】第２の従来技術のコンパクトディスク用ケースの展開平面図である。
【図１１】第３の従来技術のファイル用ディスクホルダーの斜視図である。
【発明を実施するための形態】
【００３０】
以下、本発明の収納ケースの実施の形態について、図面を参照しながら説明する。なお、本実施の形態及び各実施例の説明に用いる各図において破線は折り曲げ線を表し、太線は切目等の切込み部（切断線）を表す。なお以下の説明で切目は、鋭利な刃先でシート材を貫通するように切断した直線又は曲線だけでなく、間隙を有するような直線又は曲線も含んでいる。また本発明の収納ケースは薄板状物品であれば光ディスク及びこの説明書、冊子やカードなど広範囲な物品に適用可能であるが、以下の説明では薄板状物品として光ディスクに適用した場合について具体的に説明する。
【００３１】
図１は本発明の実施の形態に係わる収納ケースの平面図であり、図２はこの実施の形態に係わる収納ケース裏面の斜視図である。図１、２において１０はシートから矩形状に打ち抜き形成されたベースプレートであり、このシート材としては紙、合成樹脂や紙と合成樹脂の複合材料など弾力性のあるシート状の材料であればよい。
【００３２】
ベースプレート１０を１２ａ、１２ｂ、１２ｃ、１２ｄ、１２ｅおよび１２ａ’〜１２ｅ’に沿って切断し、線１４と線１５に沿って折り曲げ線を形成する。この折り曲げ線は金型を用いたプレス加工によりシート表面に凹状の溝を加工することで形成するが、この方法に代えてミシン目により折り曲げ線を形成しても良い。これは以下の実施例の説明でも同様である。シートとして紙を用いる場合は弾力性を確保するために一般的な厚さとしては１ｍｍ以下が好ましいが、材質により好適な厚さは変化するので必ずしも１ｍｍ以下に限定されない。
【００３３】
ここで円弧１２ｂ、１２ｄ、１２ｄ’、１２ｂ’で形成される円の大きさは、光ディスクの外周の大きさよりも若干大きく形成する。１４，１５は折り曲げ線であり、ステージ１１が上から下に押されると前方ブリッジ１６と後方ブリッジ１７は折り曲げ線１４，１５からステージ中央部に向かって撓み、それぞれ下り勾配を形成する。ステージ１１は光ディスクを載置する領域であり、このステージ１１は左右の前方ブリッジ１６と後方ブリッジ１７により宙づり状態で支持される。
【００３４】
ディスク保持片１８，１９に対向するステージ１１の部分１１Ａ，１１Ｂの上面が光ディスクにより下方に押されると、ディスク保持片１８，１９とステージの一部１１Ａ，１１Ｂとの間に間隙ができ、この間隙に光ディスクを右方から左方に向かって差し込むことが可能となる。
【００３５】
次に図１に記載の収納ケースの裏面の平面図である図２を参照すると、ステージ１１、前方ブリッジ１６、後方ブリッジ１７、ディスク取出部１１０の領域を除く領域に、ベースプレート１０の強度を強化するための強化プレート２０が積層されベースプレート１０に接着される。強化プレート２０を紙のシートで形成する場合は一般的には１ｍｍ〜３ｍｍの厚さが好適であるが、ベースプレート１０の強度を必要なだけ強化するものであれば材質及び厚さは特に限定されない。一例として、ステージ１１、前方ブリッジ１６、後方ブリッジ１７、ディスク取出部１１０の外側の領域のベースプレート１０に樹脂などを含浸させて、この領域の強度を強化するように構成しても良い。
【００３６】
（第１実施例）
次に図１及び図３の斜視図を参照して、本発明の第１の実施例の収納ケースにおける光ディスクの保持動作について説明する。なお、図１、図２に示した構成要素と同様の構成要素には同一符号を付して説明を省略する。光ディスクＤをディスク保持片１８，１９に対向するステージ１１の部分１１Ａ，１１Ｂ（図３に記載しないが図１と同様）の上面が光ディスクＤにより下方に押されると、ディスク保持片１８，１９とステージ１１の一部１１Ａ，１１Ｂとの間に間隙が生じ、この間隙に光ディスクＤをスライドさせて差し込む。光ディスクＤの縁側面が円弧１２ｄ、１２ｄ’に達すると、これらの円弧のベースプレート１０および強化プレート２０の各側面と接触しこれ以上光ディスクＤは進行できない。すなわち、円弧１２ｄ、１２ｄ’の側面部は光ディスクＤのストッパーの役割を果たす。
【００３７】
光ディスクＤの縁側面が円弧１２ｄ、１２ｄ’に達すると、光ディスクＤ全体が円弧１２ｂ、１２ｄ、１２ｄ’、１２ｂ’のベースプレート１０および強化プレート２０の各側面とステージ１１の上面で形成された凹状の空間にすっぽりと収納され、収納ケースを水平方向に揺動しても光ディスクＤが水平方向に揺動することはない。
【００３８】
また光ディスクＤはディスク保持片１８，１９により上方に飛び出さないように保持され、収納ケースを上下に揺動しても光ディスクＤが収納ケースから脱落したりすることがない。
【００３９】
以上説明したように本願発明による収納ケースの基本構造は、ベースプレート１０に切り込み部と折り曲げ部とを設けた極めてシンプルな構造でありながら、光ディスクＤは垂直方向にはステージ１１とディスク保持片１８，１９により弾力的に保持され、振動を受けても光ディスクＤが収納ケースから脱落したりすることがない。すなわち、ステージ１１は左右の前方ブリッジ１６と後方ブリッジ１７により垂直方向に弾力的に宙づり状態で支持される。このため光ディスクＤの収納時に光ディスクＤを下方に力を加えると、光ディスクＤが載置されたステージ１１は下方に滑らかに移動し、光ディスクＤに加えた力を解放すると、ステージ１１を上方に移動させるような復元力が生じる。そしてこの復元力でディスク保持片１８，１９とステージ１１により挟まれた光ディスクＤが脱落しないように保持している。
【００４０】
ベースプレート１０の厚さを厚くすると復元力が増し光ディスクＤを挟む力は強固になるが、ステージ１１を下方に動かすためには下方に強く押す必要がある。一方、ベースプレート１０の厚さを薄くすると復元力が減少しステージ１１を軽く押すだけでステージを下方に動かすことができるが、光ディスクＤを挟む力は減少する。従って、ステージ１１の復元力に関係するベースプレート１０の厚さは上記の点を考慮して決定する。
【００４１】
１１０はディスク取出部であり、光ディスクＤを収納ケースから取り出すために設けられている。光ディスクＤを収納ケースから取り出す際は、ディスク取出部１１０を指で下方に押しながら光ディスクＤの縁の部分と光ディスクＤの中心孔とを指で挟んで、光ディスクＤを前方ブリッジ１６の方向にスライドさせる。これにより簡単な操作で、光ディスクＤ１を本実施例の収納ケースから容易かつスムーズに取り出すことができる。なお図１においてディスク取出部１１０を円弧の形状としているが、円弧に限らず任意の形状であって良い。
【００４２】
本実施例では、図１、２に記載の収納ケースを構成する強化プレート２０を図３に記載の裏プレート３０Ｂに接着し、さらに連結部３０Ｃを介して表プレート３０Ａを設けている。ここで、表プレート３０Ａ、裏プレート３０Ｂ、連結部３０Ｃは紙またはプラスチックなどの１枚のシートから作成され、表プレート３０Ａと連結部３０Ｃ間及び裏プレート３０Ｂと連結部３０Ｃ間にはそれぞれ折り曲げ線３１Ａ，３１Ｂが設けられている。
【００４３】
強化プレート２０を裏プレート３０Ｂに接着することで、本実施例による収納ケースの強度をさらに向上することができる。また収納ケースに光ディスクＤを収納した後、表プレート３０Ａを折り曲げ線３１Ａ，３１Ｂに沿って光ディスクＤの表面方向に折り畳むことにより、光ディスクＤを保護することができる。さらに、表プレート３０Ａ及び連結部３０Ｃに、光ディスクＤのタイトル、メモを記載することができ、シート材質が紙製の場合は水性ペンや油性ペンなどの筆記用具で直接これらの面に書くことが出来る。
【００４４】
次に図３及び図４を参照して本実地例の収納ケースの断面構造について説明する。図４は図３のＸ−Ｘ線に沿った断面図であり、Ｘ１，Ｘ４はそれぞれ折り曲げ線１５，１４の位置を表し、Ｘ２，Ｘ３はそれぞれ光ディスクＤ両端部の位置を表す。図４からわかるように、光ディスクＤはディスク保持片１８，１９により下方に押し込まれるのでステージ１１は下方に力を受け、ディスク保持片１８，１９が下方に押し込む力と、前方ブリッジ１６及び後方ブリッジ１７の上方への復元力がバランスする位置までステージ１１は下降する。すなわち前方ブリッジ１６は位置Ｘ４から光ディスクＤの中心方向に向かって傾斜し位置Ｘ３でほぼ水平となり、同様に後方ブリッジ１７は位置Ｘ１から光ディスクＤの中心方向に向かって傾斜し位置Ｘ２でほぼ水平となる。
【００４５】
図４から明らかなように本実施例による収納ケースの厚さは、裏プレート３０Ｂ、強化プレート２０、ベースプレート１０、表プレート３０Ａの各厚さを加えたものとなり、従来の収納ケースの厚さよりも大幅に薄くすることができる。従って収納ケースの厚さに対しての要求が厳しい雑誌の付録として光ディスク等の薄板状物品を郵送する場合などは、本実施例による収納ケースは極めて有効である。また紙やプラスチックなどの１枚のシートから上記に述べたようにシンプルな構造により製造可能なので、極めて軽量である。
【００４６】
（第２実施例）
図５は本発明の第２の実施例に係わる収納ケースの平面図であり、第１実施例の収納ケースに折り曲げ線５１，５１’、５２，５２’を追加した点が大きく異なる。図６は図５のＹ−Ｙ線に沿った断面図であり、前方ブリッジ１６は折り曲げ線１４から折り曲げ線５１’まで一段目のスロープで傾斜し、さらに折り曲げ線５１’から折り曲げ線５２’まで二段目のスロープで傾斜してステージ１１に達する。同様に、後方ブリッジ１７は折り曲げ線１５から折り曲げ線５１まで一段目のスロープで傾斜し、さらに折り曲げ線５１から折り曲げ線５２まで二段目のスロープで傾斜してステージ１１に達する。
【００４７】
図６からわかるように前方ブリッジ１６及び後方ブリッジ１７は二段のスロープを有しステージ１１に達する。この為、ステージ１１とディスク保持片１８，１９との間隔は第１の実施例の場合よりも大きくなり、またステージ１１が下方に押されたときの上方への復元力が第１の実施例よりも小さくなる。従って光ディスクＤをステージ１１とディスク保持片１８，１９との間に差し込む際に、ステージ上面から光ディスクＤの記録面が受ける力が小さくなり、光ディスクＤの記録面の摩擦力が低下する。この為、光ディスクＤの記録面が摩擦により損傷を受けるのを改善することができる。
【００４８】
（第３実施例）
図７は本発明の第３の実施例に係わる収納ケースの平面図であり、第１実施例の収納ケースに折り曲げ線７１，７２を追加した点が大きく異なる。折り曲げ線７１はディスク保持片１８と光ディスクＤ１の外周部との共通部に設けられ、折り曲げ線７２はディスク保持片１９と光ディスクＤ１の外周部との共通部に設けられる。ディスク保持片１８，１９の各切り込み部の各終端を接続するように折り曲げ線を設けることにより、ディスク保持片１８，１９が上方に曲げられる際の下方への復元力が小さくなる。この為、光ディスクＤをステージ１１とディスク保持片１８，１９との間に差し込む際に、ディスク保持片１８，１９から光ディスクＤの表面が受ける力が小さくなり、光ディスクＤの記録面とステージ１１との摩擦力が低下する。この為、光ディスクＤの記録面が摩擦により損傷を受けるのを改善することができる。
【００４９】
（第４実施例）
図８は本発明の第４の実施例に係わる収納ケースの平面図であり、図１に示す第１実施例の切断線１２ａ〜１２ｅ、１２ａ’〜１２ｅ’、１３に、破断用連結部ａ，ｂ１，ｂ２，ｃ，ｄ，ｅと破断用連結部ａ’，ａ”，１３１ａ，ｂ’，ｂ”，ｃ’，ｄ’，ｅ’とを追加した点が異なる。これらの破断用連結部により切断線１２ａ〜１２ｅが、それぞれ（１２ａ１，１２ａ２）、（１２ｂ１，１２ｂ２）、（１２ｃ１，１２ｃ２）、（１２ｄ１，１２ｄ２）、（１２ｅ１，１２ｅ２）の各切断線に分割され、切断線１２ａ’〜１２ｅ’が、それぞれ（１２ａ’１，１２ａ’２）、（１２ｂ’１，１２ｂ’２）、（１２ｃ’１，１２ｃ’２）、（１２ｄ’１，１２ｄ’２）、（１２ｅ’１，１２ｅ’２）の各切断線に分割され、切断線１３が切断線１３１と切断線１３２とに分割される。
【００５０】
従って、ステージ１１、前方ブリッジ１６、後方ブリッジ１７、ディスク保持片１８，１９、ディスク取出部１１０は最初、外側のベースプレート１０と破断用連結部ａ，ｂ１，ｂ２，ｃ，ｄ，ｅ，ａ’，ａ”，１３１ａ，ｂ’，ｂ”，ｃ’，ｄ’，ｅ’で連結しており、光ディスクＤは図２に示すステージ１１に対応する裏面中央部の凹部領域に収納される。
【００５１】
このようにして光ディスクＤを収納した収納ケースは、強化プレート２０全体にシールまたは裏プレートを貼るか、強化プレート２０を雑誌の裏表紙等に貼り付けるか、収納ケースを袋に入れるか等の方法により光ディスクＤが脱落しないようにして、郵送などにより光ディスクを搬送する。搬送先のユーザは、シールまたは裏プレートを剥がすか、強化プレート２０を雑誌の裏表紙から剥がすか、収納ケースを袋から取り出すか等により、光ディスクＤをステージ１１に対応する裏面中央部の凹部領域から取り出す。
【００５２】
次にユーザは、破断用連結部ａ，ｂ１，ｂ２，ｃ，ｄ，ｅ，ａ’，ａ”，１３１ａ，ｂ’，ｂ”，ｃ’，ｄ’，ｅ’近くの前方ブリッジ１６，後方ブリッジ１７，ステージ１１、ディスク保持片１８，１９、ディスク取出部１１０を外側のベースプレート及び強化プレート２０に対して押し出すことにより、破断用連結部ａ，ｂ１，ｂ２，ｃ，ｄ，ｅ，ａ’，ａ”，１３１ａ，ｂ’，ｂ”，ｃ’，ｄ’，ｅ’を全て破断する。
【００５３】
このように破断用連結部ａ，ｂ１，ｂ２，ｃ，ｄ，ｅ，ａ’，ａ”，１３１ａ，ｂ’，ｂ”，ｃ’，ｄ’，ｅ’を破断することにより、第４の実施例による収納ケースは第１の実施例と同様な構成となり、第１の実施例と同様な収納が可能となる。本実施例では搬送途中で大きな力が収納ケースに加わった場合でも、光ディスクＤがベースプレート１０と強化プレート２０により構成された空間にすっぽりと収納された状態で搬送されるので、光ディスクＤ自体に大きな力が印加されたり、収納ケースから光ディスクＤが脱落したりすることがないという特徴がある。
【００５４】
図８において破断用連結部ａ，ｂ１，ｂ２，ｃ，ｄ，ｅと破断用連結部ａ’，ａ”，１３１ａ，ｂ’，ｂ”，ｃ’，ｄ’，ｅ’は概ねステージ１１の中心を通る水平線に対して対称な位置となるように配置した例を示したが、必ずしもこのような対称性は必要でない。また破断用連結部ａ，ｂ１，ｂ２，ｃ，ｄ，ｅ，ａ’，ａ”，１３１ａ，ｂ’，ｂ”，ｃ’，ｄ’，ｅ’の個数は、ステージ１１等とステージ１１等の外側のベースプレート１０とを連結する強度を考慮し、外力が加わりやすい箇所や、収納ケースが変形し易い箇所に重点的に設けるように構成する。
【００５５】
なお上記においてディスク保持片１８，１９は円弧の場合を説明したが、多角形や楕円など任意の形状であっても良い。また折り曲げ線７１，７２をディスク保持片１８，１９と光ディスクＤ１の外周部との各共通部に設ける場合について説明したが、ディスク保持片１８，１９の復元力（反発力）が弱くなるようにすればどのような折り曲げ線であっても良い。
【００５６】
また図１において折り曲げ線１４，１５の２つの折り曲げ線を設けるように説明したが、２つの折り曲げ線１４，１５のうちいずれか一方を設けるように構成しても良い。
【００５７】
またステージ表面に摩擦力を低減するためのフッ素コーティング皮膜を形成しても良い。この皮膜により、摩擦係数を０．１以下にすることが可能であり、光ディスクＤの記録面が摩擦により損傷を受けるのを改善することができる。
【００５８】
また薄板状物品として光ディスクＤの場合について説明したが、光ディスクに限定されないことは言うまでもない。この場合切断線１２ｂ、１２ｂ’、１２ｄ、１２ｄ’は薄板状物品の外形に合わせて決定され、薄板状物品をステージ１１とディスク保持片１８，１９の間に挿入し後方ブリッジ１７側にスライドさせると、薄板状物品の縁側面が切断線１２ｄ、１２ｄ’に達し、薄板状物品全体が切断線１２ｂ、１２ｄ、１２ｄ’、１２ｂ’のベースプレート１０および強化プレート２０の各側面とステージ１１の上面で形成された凹状の空間にすっぽりと収納され、収納ケースを水平方向に揺動しても薄板状物品全体が水平方向に揺動することはない。
【００５９】
また上記において裏面プレート３０Ｂを強化プレート２０に接着し、さらに連結部３０Ｃを介して表プレート３０Ａを設ける実施例について説明したが、連結部３０Ｃと表プレート３０Ａを設けず裏プレート３０Ｂのみを設ける構成としても良い。このとき裏プレート３０Ｂは、ディスク保持片１８，１９の対応するベースプレート１０の開口部から露出する光ディスクＤの記録面を保護することができる。
【符号の説明】
【００６０】
Ｄ  光ディスク
１０  ベースプレート
１１  ステージ
１２ａ〜１２ｅ、１２ａ’〜１２ｅ’、１３  切断線
１４，１５，３１Ａ，３１Ｂ，５１，５２，５１’，５２’，７１，７２  折り曲げ線
１６  前方ブリッジ
１７  後方ブリッジ
１８，１９  ディスク保持片
１１０  ディスク取出部
２０  強化プレート
３０Ａ  表プレート
３０Ｂ  裏プレート
３０Ｃ  連結部
ａ，ｂ１，ｂ２，ｃ，ｄ，ｅ，ａ’，ａ”，１３１ａ，ｂ’，ｂ”，ｃ’，ｄ’，ｅ’  破断用連結部
９１  矩形台紙シート
９２  ディスク押さえ片
９３  円弧状の切り込み
９４  矩形表示シート
９５  係止片
１０１  ＣＤ収納面
１０２  重合片
１０３  ＣＤ覆い片
１０４  連結片
１０５  ＣＤ収納保持部
１１１  第一差し込みスリット
１１２  第一折りライン
１１３  上板部
１１４  下板部
１１５  第二差し込みスリット
１１６  ディスク
１１７  押え片
【図１】
2015205692.tif 000003
【図２】
2015205692.tif 000004
【図３】
2015205692.tif 000005
【図４】
2015205692.tif 000006
【図５】
2015205692.tif 000007
【図６】
2015205692.tif 000008
【図７】
2015205692.tif 000009
【図８】
2015205692.tif 000010
【図９】
2015205692.tif 000011
【図１０】
2015205692.tif 000012
【図１１】
2015205692.tif 000013